(57)【特許請求の範囲】
【請求項１】
溶接作業用作業衣であって、作業衣の上着本体と該上着本体の肩上面から前側部分を覆うカバーとからなり、前記上着本体の両側部と肩部上面もしくは肩部背面側にはそれぞれ複数のスナップファスナーが適当間隔で設けられるとともに、前記カバーの両側部及び肩部には前記上着本体のスナップファスナーに係合する複数のスナップファスナーが設けられ、これら上着本体のスナップファスナーとカバーのスナップファスナーとを係合させることにより、当該カバーが上着本体の肩上面から前側部分を覆う状態で、かつ手で当該カバーを引っ張ることにより上着本体から引き剥すことができるように取り付けられることを特徴とする作業衣。
【請求項２】
展開状態においてシート状の布片の両縁部に長手方向に沿って複数のスナップファスナーを取り付けてなり、作業衣本体の腕部分に巻き付けて前記スナップファスナー同士を互いに係合させることにより、円筒状となる腕カバーが、前記作業衣本体の腕部分に引き剥し可能に取り付けられる請求項１に記載の作業衣。
【請求項３】
作業衣のズボンにおける腰の前側部分を覆う部分と、左右の脚部を別々に覆う部分とで構成され、これら各部分の両側部には複数のスナップファスナーが設けられているズボンカバーが、そのスナップファスナーを前記作業衣のズボンの腰部と脚部の両側部にそれぞれ設けられている複数のスナップファスナーに係合させることにより引き剥し可能に取り付けられる請求項１に記載の作業衣。
【発明の詳細な説明】
【０００１】
【発明の属する技術分野】
本発明は、溶接作業等に適した作業衣に関するものである。
【０００２】
【従来の技術】
溶接作業では、火花が飛び散って作業衣に付着し、引火することが多い。この場合、手ではたいて消火できる程度であればそれほど問題は起こらないが、消火できないほど多量の火花が付着した場合は、作業衣が一気に燃え始めるため危険である。
【０００３】
従来、このように多量の火花が付着して作業衣が燃え始めた場合は、ただちに作業衣を脱いで火傷を防止していたが、作業衣は簡単に脱げないので、火傷をすることが多かった。また、作業衣に引火した場合は、その作業衣自体が再度使用できなくなって、新しい作業衣と交換しなければならないので、不経済であった。なお、最近採用されるようになった半自動溶接と呼ばれる溶接法では、火花は少ないが、アークの光が強いため、作業衣の前面部分の色が変わったり、ガーゼ状に変質して弱くなり、作業衣として使用できなくなることが多いという問題点がある。
【０００４】
一方、園芸用等の作業衣が破れたり膝が汚れたり、傷ついたりするのを防止するものとして、膝頭カバーを設けた作業衣が提案されている（例えば、特許文献１参照）。
【０００５】
【特許文献１】
特開平０８−２９１４０４号公報
【０００６】
しかしながら、溶接作業等に使用する作業衣において、火花による引火を防止することのできるものや、前面部が特に汚れやすい作業に適した作業衣として満足できるようなものはなかった。
【０００７】
【発明が解決しようとする課題】
そこで本発明は、前面部が汚れたり損傷しやすい作業や、火花による引火の恐れのある溶接作業等に適した経済的で安全な作業衣を提供することを課題としている。
【０００８】
【課題を解決するための手段】
上記課題を解決するため本発明は、次のような構成とした。すなわち、請求項１に係る発明は、溶接作業用作業衣であって、作業衣の上着本体と該上着本体の肩上面から前側部分を覆うカバーとからなり、前記上着本体の両側部と肩部上面もしくは肩部背面側にはそれぞれ複数のスナップファスナーが適当間隔で設けられるとともに、前記カバーの両側部及び肩部には前記上着本体のスナップファスナーに係合する複数のスナップファスナーが設けられ、これら上着本体のスナップファスナーとカバーのスナップファスナーとを係合させることにより、当該カバーが上着本体の肩上面から前側部分を覆う状態で、かつ手で当該カバーを引っ張ることにより上着本体から引き剥すことができるように取り付けられることを特徴としている。
【０００９】
また、請求項２に記載の作業衣は、展開状態においてシート状の布片の両縁部に長手方向に沿って複数のスナップファスナーを取り付けてなり、作業衣本体の腕部分に巻き付けて前記スナップファスナー同士を互いに係合させることにより、円筒状となる腕カバーが、前記作業衣本体の腕部分に引き剥し可能に取り付けられるものである。
【００１０】
また、請求項３に記載の作業衣は、次のようなズボンカバーが引き剥し可能に取り付けられるものである。このズボンカバーは、作業衣のズボンにおける腰の前側部分を覆う部分と、左右の脚部を別々に覆う部分とで構成され、これら各部分の両側部には複数のスナップファスナーが設けられているズボンカバーが、そのスナップファスナーを前記作業衣のズボンの腰部と脚部の両側部にそれぞれ設けられている複数のスナップファスナーに係合させることにより引き剥し可能に取り付けられる。
【００１１】
本発明に係る作業衣は、作業中に汚れたり火花等が付着しやすい前側部分に引き剥し可能なカバーが設けられているので、例えば溶接作業中に火花によって引火した場合は、直ちに当該カバーを取り外すことができ、火傷を防止できるとともに、作業衣本体が損傷して使えなくなることを防止できる。
【００１２】
上記、引火による火傷を防ぐ意味では、作業衣に対するカバーの取り付けを、ある程度の力で引っ張ることにより簡単に外すことのできる結合具であるスナップで行うようにするのが好ましい。
【００１３】
【発明の実施の形態】
以下、具体例を挙げつつ、本発明について詳しく説明する。図１以下は本発明を実施した作業衣の例を表すもので、この作業衣１の本体は、図１、図２に示すように、ジャンバー式の上着２とズボン３からなる。上着２としては、図３、図４に示すようなシャツ式のものもある。そして、これら作業衣本体の前面側に着脱自在なカバー１０が取り付けられる。なお、シャツ式の作業衣では、上着に取り付ける前掛け状のカバーの長さを若干長くしておけばよい。
【００１４】
この作業衣１とカバーの側縁部には、着脱自在な結合具として、複数のスナップファスナー（単にスナップと呼ばれることが多く、ホックとも呼ばれる）５の一方の部材５ａが取り付けられている。すなわち、このスナップ５は、ボタン穴を開けることなく、凹部材と凸部材とを弾力的に係合させることにより二枚の布を結合することができるもので、図に示すように、雄部材（凸部材）５ａと雌部材（凹部材）５ｂとで構成され、一方の部材、図示例では雄部材５ａが作業衣本体側に取り付けられ、他方の部材である雌部材５ｂがカバー側に取り付けられている。この明細書では、上記雄部材５ａも雌部材５ｂも同様にスナップファスナーと呼ぶことがある。
【００１５】
上記カバー１０のうち、作業衣本体の前側部分を覆う前掛け式のカバー１０Ａは、首部分に適合する湾曲形状の切り欠き部１１を備えたもので、当該切り欠き部１１の両側部分は、肩の上面ないし背面側に達する延長部１２，１２となっている。作業衣本体の肩部分には、上記一方のスナップ部材５ａ，…が適当間隔で取り付けられており、カバー１０Ａの前記延長部１２には、当該スナップ部材５ａに係合するスナップ部材５ｂが取り付けられている。また、作業衣本体１の左右両側の側面部にも複数のスナップ部材５ａ，…が取り付けられており、カバー１０Ａの両側部には、当該スナップ部材５ａ，…に係合する他方のスナップ部材５ｂ，…が取り付けられている。
【００１６】
これらスナップ５の間隔は、小さ過ぎると、スナップ５の数が多くなるため、引火等の緊急事態が発生した時に取り外しに手間がかかるという問題があり、大き過ぎるとカバーの取り付け状態が不安定で作業衣本体との間に隙間ができやすくなる。したがって、スナップ５の間隔と数は、実用的に適したものとすればよい。
【００１７】
次に、カバー１０のうち腕カバー１０Ｂは、展開状態ではシート状であるが、作業衣の腕部分に巻き付けてスナップ５で固定することにより当該腕部分の全周を覆う円筒状とすることができるものである。このため、シート状のカバー１０Ｂの両側縁部に沿って、一方の側縁部には雄部材５ａ，…が、他方の側縁部には雌部材５ｂ，…がそれぞれ適当間隔で取り付けられている。なお、腕カバー１０Ｂは、腕の外面側ないし下面側で固定するしておき、かつ、腕の下面側（内側）を通って前面側から後面側へ巻かれた端部が他方の端部の上側に重なり合うようにしておくのが好ましい。このようにしておくと、緊急時に反対側の手を脇の下側に入れて、上側に重なり合っている端部を掴み、身体の中心側に向かって引っ張ることにより、腕カバー１０Ｂを引き剥すことができるので、取り外しが容易である。
【００１８】
さらに、カバー１０のうち脚部を覆うズボンカバー（ローハイド等とも呼ばれる）１０Ｃは、図に示すように、脚部の前部分、両側面部分、股下部分、及び腰の前側部分を覆うような形状に形成されている。そして、その外周縁に沿って適当間隔で取り付けた一方のスナップ部材５ｂ，…を作業衣のズボン２に取り付けた他方のスナップ部材５ａ，…に係合させることにより、ズボンの前面部を覆うようになっている。ズボンカバー１０Ｃは、脚の周りを覆うように円筒状に形成してもよいが、このようにするとコストが大幅に上昇するのみならず、脚の動きの支障となり、緊急時に取り外しにくくもなるので、図示例のように、脚部、腰部等の前面部を覆うことができるだけのもののほうが実用的である。
【００１９】
図１１、図１２は、作業衣の上着としてのベスト４を表すもので、このベスト４には、その側縁部に沿って結合具であるスナップ部材５ａ，…が２列に取り付けられている。このうち、内側の列のスナップ部材５ａ，…には前掛け式のカバー１０Ａに設けたスナップ部材５ｂ，…が取り付けられ、外側の列のスナップ部材５ａ，…には、腕カバー１０Ｂのスナップ部材５ｂ，…が取り付けられる。このため、カバー１０Ａの外周部は腕カバー１０Ｂの取り付け部よりも外側にはみ出す（腕カバー１０Ｂの取り付け部が前掛け式のカバー１０Ａの下側に隠れる）ことになり、腕カバー１０Ｂの取り付け部の隙間から火花等が侵入することが効果的に防止される。なお、ベストではない上記ジャンバー式やシャツ式の上着の場合も、腕カバー１０Ｂの取り付け部を前掛け式のカバー１０Ａが覆うようにしておくのが好ましい。
【００２０】
一般に作業衣は綿や合成繊維で作られるが、上記溶接作業衣用カバーは、火花が付着しにくい材料、例えば皮革（牛皮、豚皮、羊皮等）や木綿で製作しておくのが好ましい。金属箔や、石綿等の耐火物で製作しておくのも効果的である。また、用途によっては、撥水性を備えた材料で製作しておくのが好ましい場合もある。
【００２１】
この作業衣１は、本来の作業衣本体の前面側を覆うカバーを取り付けて使用するようになっているので、作業の種類によって最適なカバーを選択して取り付ければよい。例えば、溶接作業に使用する場合は、火花等が付着しにくい材質のカバーを取り付ければよい。そして、仮に火花によって引火した場合は、作業衣本体に燃え移る前にカバーを引き剥せばよい。このカバーは、スナップ等の引き剥しやすい結合具で取り付けるので、緊急時の取り外しは簡単である。引火したカバーは廃棄して、新たなカバーを取り付ければよい。カバー自体は比較的簡単に製作することができ、材料費も少なくてすむので、引火等により廃棄しても作業衣自体を廃棄するに比べてはるかに経済的である。
【００２２】
なお、以上の説明では、スナップの雄部材５ａを作業衣側に取り付け、雌部材５ｂをカバー側に取り付けているので、引き剥しが特に容易となっているが、場合によっては、逆に雄部材５ａをカバー側に、雌部材５ｂを作業衣本体側に取り付けることも可能である。
【００２３】
【発明の効果】
以上の説明から明らかなように、本発明によれば、例えば溶接作業等において火花で引火した場合にただちにカバーだけを取り外して作業衣本体への引火を防止することができるようになり、安全かつ経済的なものとなった。この作業衣を、溶接作業以外の用途、例えば汚れやすい作業や、強酸や有毒な液体等有毒物質の付着する恐れのある作業等、種々の用途に使用して効果的であることは明らかである。
【図面の簡単な説明】
【図１】ジャンバー形作業衣の正面図である。
【図２】その背面図である。
【図３】シャツ形作業衣の正面図である。
【図４】その背面図である。
【図５】前掛けカバー（上着カバー）の正面図である。
【図６】ズボンカバーの展開した正面図である。
【図７】腕カバーの展開図である。
【図８】その取り付け状態を表す外観図である。
【図９】カバーを取り付けた作業衣の正面図である。
【図１０】その背面図である。
【図１１】ベストを作業衣の上着とする場合の正面図である。
【図１２】その背面図である。
【符号の説明】
１      作業衣本体
２      上着
３      ズボン
４      ベスト
５      スナップ（結合具）
１０      カバー
１０Ａ    前掛け式カバー（上着カバー）
１０Ｂ    腕カバー
１０Ｃ    ズボンカバー
【図１】
0003704661.tif 000002
【図２】
0003704661.tif 000003
【図３】
0003704661.tif 000004
【図４】
0003704661.tif 000005
【図５】
0003704661.tif 000006
【図６】
0003704661.tif 000007
【図７】
0003704661.tif 000008
【図８】
0003704661.tif 000009
【図９】
0003704661.tif 000010
【図１０】
0003704661.tif 000011
【図１１】
0003704661.tif 000012
【図１２】
0003704661.tif 000013